(57)【要約】シェービング装置は、ヘアエントリー開口部（８）によって隔てられた、皮膚を接触させる外部シェービング面（７）を有する切断ユニット（３）と、ヘアエントリー開口部（８）を通って突き出る毛を切り取るためのヘアエントリー開口部（８）に沿った動作のために動く内部カッター（５）とを有する。ホルダー（２）に対して外部カッターを支持するために用いるサスペンション部材（６）は、ホルダー（２）に対して傾斜軸（１７）周りに傾斜可能であり、傾斜軸（１７）は、シェービング面（７）の第一周辺部分（１８）の反対にあるシェービング面（７）の第二周辺部分（１９）よりも、シェービング面（７）の第一周辺部分（１８）により近いところに位置付けられる。
2008525085.tif 000002
【特許請求の範囲】
【請求項１】
少なくとも１つの切断ユニットが取り付けられたホルダーを備え、該切断ユニットのそれぞれが、ヘアエントリー開口部によって隔てられた、皮膚を接触させるための外部シェービング面を有する外部カッターを有するところのハウジング、
前記ヘアエントリー開口部を通って突き出る毛を切り取るため前記ヘアエントリー開口部に沿った動作のために動く内部カッター、及び、
前記ホルダーに対して前記外部カッターを支持するために用いるサスペンション部材であり、該サスペンション部材は、前記ホルダーに対して傾斜軸周りに傾斜可能であるところのサスペンション部材、
を有するシェービング装置であって、
前記傾斜軸は、前記シェービング面の第一周辺部分の反対にある前記シェービング面の第二周辺部分よりも、前記シェービング面の第一周辺部分により近いところに位置付けられる、
ことを特徴とするシェービング装置。
【請求項２】
前記サスペンション部材は、該サスペンション部材を安静位に付勢するためのバネ荷重が掛けられ、該サスペンション部材を前記安静位に付勢する力に対して、前記安静位から前記ハウジングに向かって傾斜位まで、傾斜可能である、
ことを特徴とする請求項１のシェービング装置。
【請求項３】
前記サスペンション部材は、独立して傾斜可能である、
ことを特徴とする請求項１又は２のシェービング装置。
【請求項４】
前記外部カッターの前記シェービング面は、少なくとも２つの異なるシェービング領域に亘って延び、前記シェービング領域の第一領域は、前記シェービング領域の第二領域よりも、前記傾斜軸により近いところに位置付けられ、前記シェービング領域の前記第一領域は、所定の接触圧において、前記シェービング領域の前記第二領域よりも、半球形に膨らんだ皮膚が前記内部カッターのより近くに至らないようにするシェービングに適合する、
ことを特徴とする先行する請求項の何れかのシェービング装置。
【請求項５】
前記外部カッターは、前記第二領域におけるよりも、前記第一領域において、より厚い、
ことを特徴とする請求項４のシェービング装置。
【請求項６】
前記外部カッターの縁に密接に沿って突出し、かつ、延びる自由端を有する皮膚支持枠を更に有し、
前記皮膚支持枠は、より大きく突出し、かつ／或いは、前記シェービング面の前記第二領域に沿うよりも、前記シェービング面の前記第一領域に沿うところで、横方向で前記外部カッターにより近いところに位置付けられる、
請求項４又は５のシェービング装置。
【請求項７】
前記シェービング面を横切る軸の周りにおける前記内部カッターの回転は、前記外部カッターに関連して駆動可能であり、
前記傾斜軸は、前記開口部が位置付けられる前記シェービング面における穴の開いたシェービング領域の境界を示す外縁に密接に隣接して位置付けられる、
ことを特徴とする先行する請求項の何れかのシェービング装置。
【請求項８】
前記内部カッターは、前記外部カッターの内面に広がる円経路に沿って動く切刃又は切刃群を有し、
前記シェービング面に垂直な方向における前記シェービング面上への傾斜軸の射影は、前記円軌道の接線を形成する、
ことを特徴とする請求項７のシェービング装置。
【請求項９】
少なくとも２つの前記切断ユニットは、前記ホルダーに取り付けられ、
各外部カッターに関し、前記シェービング面の前記第一周辺部分は、前記シェービング面の前記第二周辺部分よりも、他の外部カッター、又は、他の外部カッター群のうちの少なくとも１つに近い、
ことを特徴とする先行する請求項の何れかのシェービング装置。
【請求項１０】
前記切断ユニットの間のキャップは、シェービング中に皮膚を接触させるための支持面を形成し、該支持面は、少なくとも２つの前記切断ユニットの間に専ら延びる、
ことを特徴とする請求項９のシェービング装置。
【請求項１１】
前記キャップは、前記シェービング面が延びる少なくとも１つの平面の位置に対して、前記支持面が延びる平面の位置を調節するために調節可能である、
ことを特徴とする請求項１０のシェービング装置。
【請求項１２】
前記サスペンションは、前記シェービング面が相互に収束する方向を向くところの安静位に前記外部カッターを付勢するためにバネ荷重が掛けられ、前記シェービング面は、少なくとも、前記外部カッターの前記シェービング面が相互により平行な方向付けとなるところの配置まで傾斜可能である、
ことを特徴とする請求項９乃至１１の何れかのシェービング装置。
【請求項１３】
前記傾斜軸群は、前記切断ユニット群における前記切断面群の中心群から等しい距離にある中心線から等しい距離に位置付けられる、
ことを特徴とする請求項９乃至１２の何れかのシェービング装置。
【請求項１４】
前記旋回軸は、前記シェービング面に平行な平面における回転のため前記サスペンション部材に回転可能に取り付けられた切断ギアホイールと該切断ギアホイールを駆動するため該切断ギアホイールをかみ合わせるドライブギアホイールとに対して接線方向であり、かつ、前記ドライブギアホイールの歯が前記切断ギアホイールの歯をかみ合わせる領域を通って伸びる、
ことを特徴とする先行する請求項の何れかのシェービング装置。
【発明の詳細な説明】
【技術分野】
【０００１】
本発明は、請求項１の導入部分に従ったシェービング装置に関する。
【背景技術】
【０００２】
そのようなシェービング装置は、米国特許第５６２５９５０号で知られている。この既知の装置において、サスペンション部材はまた、外部カッターが皮膚上を移動する前にその皮膚を少しピンと張らせるのに役立つ皮膚支持枠を形成する。このようにして、切断対象の毛をよりきれいに、より皮膚に近いところで切断できるよう、切断対象の毛をより真っ直ぐに立てることができる。また、皮膚支持枠のさらに重要な機能は、外部カッターの周りで皮膚を支持することである。これは、外部カッターにおける圧力が高くなり過ぎないことを確かなものとする。過度の圧力は、皮膚の損傷及び炎症の原因となる。皮膚がヘアエントリー開口部に深く進入し、内部カッターと接触するようになり得るからである。外部カッターは、ホルダーに取り付けられ、好適には、何れの方向への動きも可能となるようにする。結果として、皮膚と向き合う外部カッターの外表面によって形成されるシェービング面は、ひげ剃り対象の顔領域の形状になじむことができる。外部カッターの最大許容傾斜角は、皮膚支持枠上に外部カッターが突き出るその長さによって決められる。大きな突出長さは、外部カッターの周辺部における大きな圧力ピークを生じさせる。皮膚支持枠が皮膚を適切に支持できないからであり、一方で、小さな突出は、シェービング面がホルダーに対して傾斜できる角度を限定する。
【０００３】
このシェービング装置において、シェービング面が傾斜できる角度は、皮膚支持枠をホルダーに対して傾斜可能とすることによって、増大する。皮膚支持枠は、スプリング力によってその支持枠に対し弾性的に付勢される外部カッターの位置及び方向付けを決定するという意味において、サスペンション部材を形成する。
【０００４】
シェービング対象の皮膚の形状との適合、及び、シェービング対象の皮膚に対するシェービング装置の角度のばらつきとの適合がこのようにして改善され、外部カッターの圧力ピークがこのようにして排除されるが、ユーザが大きすぎる力でシェービング対象の皮膚に対してシェービング装置を押し付けた場合、皮膚の炎症は、依然として発生する。
【特許文献１】米国特許第５６２５９５０号明細書
【発明の開示】
【発明が解決しようとする課題】
【０００５】
本発明の目的は、ユーザが大きすぎる力でシェービング装置を皮膚に押し付けることで引き起こされる皮膚の炎症をさらに防止するための解決策を提供することである。
【課題を解決するための手段】
【０００６】
本発明に従い、請求項１に従ったシェービング装置を提供することによって、この目的は達成される。
【０００７】
サスペンション部材がシェービング面と一緒にその周りを傾斜可能となる傾斜軸は、シェービング面の第一周辺部の反対にあるシェービング面の第二周辺部より、シェービング面の第一周辺部のところにより接近させて位置付けられるので、シェービング装置を皮膚に過度に押し付けることは、主にシェービング面の第一周辺部の領域に比較的高い圧力で、かつ、仮にあったとしてもシェービング面の第二周辺部の領域に、より小さい程度で、シェービング面を皮膚に対して押し付けることとなる。
【発明の効果】
【０００８】
このようにして、シェービング面の第二部分は、ユーザが加える過度の圧力による影響をあまり受けず、従って、皮膚の炎症を起こしにくい。
【発明を実施するための最良の形態】
【０００９】
本発明の特別な更なる詳細を従属項において説明する。
【００１０】
本発明の更なる態様、効果及び詳細を、図に示される典型的な実施例を参照しながら説明する。
【実施例】
【００１１】
図１に示されるロータリー型のシェービング装置は、取り外し可能なホルダー２を備えたハウジング１を有する。ホルダーに対し、３つの切断ユニット３が取り付けられ、各ユニットは、外部カッター４及び内部カッター５を有する（図４乃至６参照。）。外部カッター４は、ほぼ円形のサスペンション部材６によって支持される。外部カッター４は、シェービング中に皮膚と接するための実質的に平坦なシェービング面７、及び、内部エッジが刃先を形成する多数のスリット状ヘアエントリー開口部８を有するシールドによって形成される。内部カッター５は、外部カッター４に回転可能に取り付けられ、支持部１０に固定される複数の切断ブレード９（図４参照。）を有する。切断ブレード９は、外部カッター４の刃先との連携のために準備された刃先を有する。支持部１０は、その底面で切断ユニットギアホイール１１に直接取り付けられる。切断ユニットギアホイール１１は、切断ユニットギアホイール１１をかみ合わせるドライブギアホイール１２によって回転可能である。
【００１２】
サスペンション部材６は、上位サスペンション部材部品１５上に形成された皮膚支持枠１３と外部カッター４における内部カッター５と同じ側にある下位サスペンション部材部品１４とを有する。上位サスペンション部材部品１５は、下位サスペンション部材部品１４にスナップロックされ、外部カッター４のフランジは、サスペンション部材部品１４及び１５の間に封入される。下位サスペンション部材部品１４と切断ユニットギアホイール１１との間には、スプリング１６が位置付けられ、切断ユニットギアホイール１１と、その切断ユニットギアホイール１１を経由した内部カッター５とを外部カッター４の方へ付勢し、シェービング中におけるカッター間の適切な接触を維持するようにする。本実施例によれば、スプリング１６は、切断ユニットギアホイール１１をかみ合わせる中央支持領域と、サスペンション部材６をかみ合わせる３つの板バネ足とを有する板バネである。しかしながら、コイル形状のスプリングのような他のスプリングデザイン（構造）もまた、原理上は、採用され得る。
【００１３】
サスペンション部材６は、中央ホルダーベース２６（図４及び５参照。）にヒンジで接続され、シェービング面７に実質的に平行に伸びる傾斜軸１７の周りを傾斜可能となるようにする。この目的のため、ホルダーベース２６は、サスペンション部材６におけるボア３１をかみ合わせるノッチ３０を備えた支持ポスト２９を備える。
【００１４】
傾斜軸１７は、サスペンション部材６に取り付けられる各切断ギアホイール１１と切断ギアホイール１１を駆動するために切断ギアホイール１１をかみ合わせるドライブギアホイール１２とに対して接線方向にそれぞれ方向付けられ、ドライブギアホイール１２の歯が各切断ギアホイール１１の歯をかみ合わせる領域を通ってそれぞれ伸びる。これは、ドライブギアホイール１２を切断ギアホイール１１から離すことなく、サスペンション部材６とそれに支持される切断ギアホイール１１とを、関連する傾斜軸１７の周りで傾斜させることができる。好適には、傾斜軸は、ドライブギアホイール１２及び各切断ギアホイール１１のピッチ円群に対してそれぞれ接線方向である。
【００１５】
更に、板バネプレート２７は、ハウジング１からサスペンション部材を遠ざけるよう付勢するためにホルダーベース２６（図３乃至５参照。）に取り付けられ、図１に示されるように、全体として大まかに窪んだ形を有するシェービング面を切断ユニット３のシェービング面７が規定するところの安静位に向けて切断ユニット３が付勢されるようにする。使用中、サスペンション部材６及びそれによる各切断ユニット３のシェービング面７は、ユーザがそれらに及ぼす外力によって、それらの各傾斜軸１７周りに傾けられ得る。板バネプレート２７は、シェービング面７とユーザの皮膚との接触を維持するための力を発揮する付勢手段を形成し、これにより、シェービング中に当たる皮膚表面の湾曲の違いに対する良好な適合を確保する。
【００１６】
中央ホルダーベース２６は、駆動シャフト（図示せず。）の周りで、シェービング装置２の中央に結合される。更に、ホルダーベース２６の上に取り付けられ、かつ、ドライブギアホイール１２を回転可能に取り付ける中央スピンドル２８を備えたカバー３７が、このギアホイール１２が切断ユニットギアホイール１１をかみ合わせるような方法で提供される。
【００１７】
各切断ユニットのサスペンション部材６は、傾斜軸１７の周りで、ホルダー２に対して個別に傾斜可能である。傾斜軸１７は、シェービング面７の第一周辺部分１８の反対にあるシェービング面７の第二周辺部分１９よりも、シェービング面７の第一周辺部分１８により近づけて位置付けられる。好適には、傾斜角１７からシェービング面７の最も近い周辺端部までの距離は、傾斜角１７からシェービング面の反対の端部までの距離のせいぜい５０％であり、好適には、せいぜい１０％から２５％である。シェービング装置が、例えば、図３に示されるように、皮膚表面２０に押し付けられた場合、シェービング装置１を皮膚表面に押し付けるための力の増分は、大部分は、傾斜軸１７に最も近い周辺シェービング面部分１８の領域におけるシェービング面７の部分によって伝えられる。第二周辺シェービング面部分１９により近いシェービング面７の部分、すなわち、傾斜軸１７から比較的遠くに位置付けられるシェービング面７のそれらの部分と皮膚表面２０との間の接触圧は、それほどではないにせよ、シェービング装置を皮膚表面２０に押し付けるための力によって決まる。サスペンション部材６、従ってまた、それによって支持される外部カッター４も、切断ユニット３を皮膚２０に押し付けるための力が増大したときに皮膚２０から離れるように傾斜する傾向があるからである。
【００１８】
従って、シェービング面７の実質的な部分と皮膚表面との間の接触圧は、シェービング装置を皮膚に過度に押し付けることによって、せいぜい最低限の影響を受けるだけであり、シェービング面７のそれらの部分によって引き起こされる皮膚の炎症が極小化されるようになる。
【００１９】
局所的な圧力が加えられると圧縮され、追いやられる傾向にある、一般に張りのある皮膚表面２０の性質は、皮膚に対して、任意的には、第二周辺シェービング面部分１９、すなわち、傾斜軸１７から比較的遠くに位置付けられたシェービング面のそれらの部分を付勢するための手段が及ぼす力に対して、過度の圧力が加えられると、シェービング面７を更に傾斜させる。
【００２０】
この傾斜作用はまた、切断ユニット３の周辺端部を皮膚に押し付けさせ、そのことが、シェービング装置を皮膚に当てる力が大き過ぎることをよりはっきりとユーザに感じさせ、かつ、ユーザがより小さな力でシェービング装置を皮膚に押し付けるように促すこととなる。
【００２１】
本実施例によると、シェービング装置は、三つの切断ユニット３を備える。しかしながら、本発明はまた、回転式又はその他の可動式内部カッターを備えた、単一、二つ、又は、三つより多い切断ユニットを有するシェービング装置に適用されてもよい。複数の切断ユニットを持つシェービング装置において、傾斜軸は、他の切断ユニットの近くに、或いは、他の切断ユニットから離して位置付けられたシェービング面の部分に沿って伸びるものであってもよい。
【００２２】
本実施例によると、外部カッター４のシェービング面７は、それぞれ、少なくとも二つの異なるシェービング領域２１、２２、２３に及ぶ。シェービング領域の第一領域２１は、傾斜軸１７の近くに位置付けられる。シェービング領域の第二領域２３は、傾斜軸１７から最も遠くに位置付けられる。本実施例において、それら領域の中間領域２２は、上述の領域２１と２３との間に位置付けられる。更に、シェービング領域２１〜２３のうちの第一領域２１は、シェービング面と皮膚との間の所定の局所接触圧において、シェービング領域２２、２３のうちの他領域よりも、内部カッター５の刃先に近づけずに皮膚を半球形に膨れさせるよう適合される。このことは更に、シェービング装置の皮膚への押し付けが強すぎた場合にも、シェービング領域の第一領域２１と皮膚表面２０との間の接触圧の増大によって引き起こされる皮膚の炎症を低減させる。反対に、傾斜軸１７からより遠くに位置付けられたシェービング領域２２及び２３が、シェービング面と皮膚との間の所定の局所接触圧において皮膚を半球形に膨れさせ内部カッター５の刃先の比較的近くにこさせることができるようデザインされるということは、極めて仕上がりの良いシェービング結果を保証することとなる。所定の接触圧において皮膚が内部カッターに対して半球形にそこまで膨れることができるようにした場合に本来起こるであろう程度と比較して、皮膚の炎症は低減される。実際によく起こるように強すぎる力でシェービング装置を皮膚に押し付けることは、皮膚表面２０とシェービング面領域２２及び、特に傾斜軸１７からより遠くに位置付けられる領域２３との間の接触圧において、たとえあったとしても比較的小さな増大しか生じさせないからである。従って、傾斜軸からより遠くにあるシェービング面の領域における接触圧に対する改善された制御は、それら領域における外部カッターのよりクリティカルな設計を、そのような外部カッターのクリティカルな設計に本来関連するであろう皮膚の炎症の発生増大を引き起こすことなく、可能とする。
【００２３】
半球形に膨れる皮膚のシェービング領域間における差異は、様々な方法で実現される。本実施例によれば、これらの差異は、シェービング面７に沿って、外部カッター４のそれぞれを、傾斜軸１７から最も遠い領域２３よりも第一領域２１において厚くすることによって得られる。外部カッター４の厚さはまた、傾斜軸１７に最も近い第一領域２１から、傾斜軸１７から最も遠いシェービング面７の領域２３にかけて、徐々に、或いは、段階的に減少するものであってもよい。所定の接触圧で皮膚が半球形に膨れることを可能とするところの内部カッターの近さを変えるための他の候補は、スリット幅を変えることであり、スリットが広がるにつれて半球形に膨らむ皮膚は増大する。
【００２４】
特に興味を引くオプションは、改善されたヘアキャッチ機能のために傾斜軸に近いシェービング領域に比較的広いスリットを備えることであり、かつ、より広いスリットによって可能となる増大した皮膚の半球形の膨らみが傾斜軸に近い領域における外部カッターの厚さの増大によって逆に補償されることである。従って、傾斜軸に近いシェービング領域は、長い毛に対する、迅速ではあるがそれほど近接していないシェービング専用とされ、傾斜軸から遠いシェービング領域は、極めて近接したシェービングによる仕上げ専用とされる。
【００２５】
図４及び図６において最も良く見られるように、皮膚支持枠１３は、外部カッター４のへりに密接に隣接するよう突出する自由端を有する。シェービング面７の第一部分２１に沿って伸びる皮膚支持枠１３のその部分は、シェービング面７の第二部分２３に沿って伸びる皮膚支持枠１３のその部分より大きく突出する。従って、ユーザがシェービング装置を皮膚表面２０に押し付ける力により、シェービング面７と皮膚表面２０との間の接触圧が、たとえあったとしても極めて小さい影響しか受けないところである、シェービング面７の領域２３におけるよりも、比較的大きな圧力で切断ユニット３が皮膚に押し付けられるところである、傾斜軸１７に近いシェービング面７の領域２１における、皮膚支持枠１３によって、シェービング面７をシェービング対象の皮膚表面２０に押し付ける力は、より大きな制限を受ける。
【００２６】
シェービング装置を強すぎる力で皮膚２０に押し付けながらシェービングをする間の、傾斜軸１７に近い領域における実効的なシェービング圧力の減少はまた、シェービング中に皮膚を接触させる支持面を形成し、かつ、少なくとも２つの切断ユニット３の間に位置付けられる領域だけに専ら延びる、切断ユニット３の間にあるキャップ３７によって提供される、皮膚２０に対するシェービング装置の支持によって獲得される。従って、シェービング装置に及ぼされた圧力の一部は、切断ユニット３の間の中央領域を介して皮膚に伝えられ、それ故に、傾斜軸１７に近いシェービング面７の部分で発生する実効的なシェービング圧力に寄与することもなく、その部分が強すぎる力の発揮に応答して実質的に傾斜することもない。
【００２７】
キャップ３７は、平面における位置であり、その平面に沿って支持面が延びるところの平面の位置を、平面における位置であり、その平面に沿ってシェービング面７が伸びる平面の位置に対して調節するために調節可能である。このことは、個人的な皮膚の感性及びシェービングの癖に従ってその表面に垂直な方向にその支持面の位置を調節できるようにする。本実施例によれば、調節機能は、キャップ３７の周辺に沿った３つの調節ネジによってもたらされ、そのネジが締め付けられたり、或いは、緩められたりした場合に、キャップ３７をより湾曲した形状に曲げるようにする。しかしながら、そのような調節機能をもたらす他の多くの解決策もまた考えられる。
【００２８】
皮膚とシェービング面との間の接触圧が傾斜軸までの距離に従って限定されるその程度を変えるために、皮膚支持枠１３とシェービング面７との間の横方向距離もまた、傾斜軸１７までの距離に従って変えられてもよく、この距離が、傾斜軸に近いシェービング面の領域に沿って、傾斜軸からより遠いシェービング面の領域に沿うよりも、小さくなるようにする。
【００２９】
シェービング装置を皮膚に押し付けることによって増大した圧力で皮膚に押し付けられ得るシェービング面７の表面領域を効果的に減らすために、傾斜軸１７は、好適には、シェービング面７の最端部に密接に沿って伸びる。例えば、内部カッター５の回転がシェービング面７を横切る軸の周りで駆動可能な場合、傾斜軸１７は、好適には、本実施例で示されるように、ヘアキャッチ用開口部８が位置付けられた、シェービング面７における穴の開いたシェービング領域の外縁に密接に隣接するよう位置付けられる。
【００３０】
本実施例のように、内部カッター５が、切刃、又は、外部カッター４の内面に亘って延びる円経路に沿って動く切刃９を有する場合、シェービング面７に垂直に伸びる方向における、シェービング面７上への傾斜軸１７の射影は、その円軌道のほぼ接線方向に伸び、好適には、本実施例においてまた示されるように、その円軌道の中央寄りとなる。
【００３１】
傾斜軸１７から遠く離れたシェービング面７の部分が皮膚を押し付ける圧力を効果的に制御するために、切断ユニット３のサスペンションは、ハウジング１から遠ざけるよう傾斜させた安静位に向かって（ひいてはシェービング装置使用中にシェービング対象の皮膚に向かって）サスペンション部材６を付勢するバイアス部材を形成するスプリング２７によってバネ上げされる。サスペンション部材６は、皮膚とシェービング面７との間の一定圧によってハウジング１方向に傾斜可能であり、そのハウジングからサスペンション部材６を遠ざけるよう付勢する力に逆らう。これは、シェービング面がシェービング対象の皮膚に保持された場合に、第二周辺部分１９に最も近いシェービング面の領域、及び、第二周辺部分１９におけるシェービング面の領域、すなわち、傾斜軸１７から比較的遠いところにあるシェービング面の領域における接触圧が、適度に狭い範囲における接触圧で皮膚表面を押し付けることを保証する。スプリング２７又は他のバイアス部材の硬さは、シェービング中に有効な接触圧が所望の範囲内に留まることを実現するよう選択される。スプリング（又は他のバイアス部材）の硬さは、ユーザの皮膚感性に合わせて硬さを調節するために、任意に調節できるものであってもよい。接触圧は、ハウジング１とシェービング対象の皮膚表面２０との間の角度に応じて多少変化するものであってもよい。
【００３２】
本実施例によると、シェービング装置は、ホルダー２に取り付けられた複数の切断ユニット３を備える。切断ユニット３のそれぞれに関し、外部カッター４におけるシェービング面７の第一周辺部分１８は、そのシェービング面７における第二周辺部分１９よりも、他の外部カッター４に近い。従って、各切断ユニット３の傾斜軸１７は、他の切断ユニット３の近くに位置付けられ、そのことが、図７Ａ乃至図７Ｄに最も良く見られるように、皮膚表面２０に対するハウジング１の角度におけるバリエーションに対し、より大きな順応性を提供する。
【００３３】
図７Ａ及び図７Ｂにおいて、切断ユニット３、１０３の塗りつぶし表現及び非塗りつぶし表現は、異なる方向に傾斜した切断ユニット３、１０３を示す。
【００３４】
上述のタイプのシェービング装置の従来技術において、切断ユニット１０３は、シェービング面の中心を伸びる軸１１７の周りでそれぞれ傾斜可能である（図７Ａ及び図７Ｃ参照。）。より詳細には、そのようなシェービング装置において、傾斜軸１１７は、シェービング面に垂直である、シェービング面の中心線と交差する。従来技術に従ったシェービング装置をシェービング対象の皮膚表面２０に対し、ある角度で保持したときの状況を示す図７Ｃにおいて、切断ユニット１０３の一方は、ハウジング１０１とシェービング対象の皮膚表面２０との間の角度に適合できるのに対して、切断ユニット１０３の他方は、皮膚に接触していない。従って、このような状況においては、実際に作用するのは、シェービング面全体の一部だけである。図７Ｂ及び図７Ｄに示された本発明に従った装置の例においては、切断ユニット３のそれぞれ、或いは、少なくともそのサスペンション部材は、各切断ユニット３における反対の側よりも、その切断ユニット３における他の切断ユニット又はユニット群３に面する側に近い傾斜軸１７の周りで傾斜可能である。従って、サスペンション部材の一つ及びそれによって支えられる外部カッターがハウジング方向に押し込まれ、ハウジング１の方向に傾けられ、かつ、他の切断ユニットの外部カッターがハウジング１から離れて最大限に（或いは最大限近くに）突出した位置に留まるときでも、切断ユニット３における外部カッター４のシェービング面７がある平面間にほんの僅かなオフセットしか生じさせない。これは、言い換えると、シェービング装置の方向付けが全体としてシェービング対象の皮膚表面に垂直な方向からほど遠い場合であっても、双方の切断ユニット３におけるシェービング面７が、双方でシェービング対象の皮膚表面２０と有効な接触をもったままとなるのに十分な同一平面となることを可能とする。これは、顎先や下顎の領域のひげを剃るときに特に有利となる。
【００３５】
更に、外部カッターは、ホルダーサスペンションに対し如何なる方向にも傾斜可能に配置されてもよく、シェービング対象の顔領域の形に対するシェービング面の更なる順応性が得られるようにする。
【００３６】
緊密に位置付けられた傾斜軸１７周りのサスペンション部材６の傾斜機能は更に、切断ユニット３の配列の外側にあるシェービング面７の部分が、特に、サスペンション部材６が中央に位置付けられたポストの形式でホルダー２によって支持される場合にも（図３及び図５参照。）、比較的簡単な構造で大きな移動範囲にわたって傾斜できるようにする。これは、言い換えると、傾斜可能なサスペンション部材６の一部である皮膚支持枠１３による皮膚の効果的な支持を維持しながらも、シェービング対象の皮膚表面２０の曲率におけるバリエーションに対して改善された順応性を提供する。従って、一方においては、切断ユニット３における相互に離れたシェービング面７の部分との間の接触圧のばらつきが更に低減され、他方においては、皮膚表面２０との間の接触圧のばらつきが更に低減される。
【００３７】
サスペンション部材６は、相互に独立して枢動可能である。図３、図７Ｂ及び図７Ｄによって最も良く示されるように、このことは、シェービング対象の皮膚表面２０の曲率における差異に対する一致ばかりでなく、シェービング装置と皮膚表面２０との間の角度におけるバリエーションに対する一致をも獲得するために有利である。
【００３８】
本実施例によると、旋回軸群１７は、中心線２４から同じ距離であって、切断ユニット群３における切断面群７の中心群から同じ距離のところに位置付けられる。従って、均一な形をした全体的なシェービング面は、切断ユニット３が図１及び図３に示される安静位の状態にあるときにシェービング面７によって規定される。
【図面の簡単な説明】
【００３９】
【図１】本発明に従ったシェービング装置の例を示す斜視図である。
【図２】図１のシェービング装置における切断ユニット及びハウジングの一部の平面図である。
【図３】図１のシェービング装置における切断ユニット、ホルダー及びハウジングの一部の側面図である。
【図４】図１乃至３のシェービング装置におけるホルダー及び切断ユニットの斜視切り欠き図である。
【図５】図１乃至４のシェービング装置におけるホルダーの斜視分解図である。
【図６】図１乃至５のシェービング装置における切断ユニットの斜視分解図である。
【図７】Ａは、２つの選択的な位置（塗りつぶし有り及び塗りつぶし無し）にある傾斜可能な切断ユニットを持つ従来技術に従ったシェービング装置の配置図である。Ｂは、２つの選択的な位置（塗りつぶし有り及び塗りつぶし無し）にある傾斜可能な切断ユニットを持つ本発明に従ったシェービング装置の配置図である。Ｃは、ある角度で皮膚表面に対し保持された図７Ａのシェービング装置の配置図である。Ｄは、ある角度で皮膚表面に対し保持された図７Ｂのシェービング装置の配置図である。
【図１】
2008525085.tif 000003
【図２】
2008525085.tif 000004
【図３】
2008525085.tif 000005
【図４】
2008525085.tif 000006
【図５】
2008525085.tif 000007
【図６】
2008525085.tif 000008
【図７】
2008525085.tif 000009
【国際調査報告】
2008525085.tif 000010
2008525085.tif 000011
2008525085.tif 000012